(57)【特許請求の範囲】
【請求項１】
握り部に施解錠表示機構を備える施・解錠状態の表示鍵であって、前記施解錠表示機構は、握り部の表示窓と、前記握り部に設けられ錠前の前面部に当るトリガーと、該トリガーに連動して移動するように前記握り部に設けられスライダーと、該スライダーの検出アームが貫通する案内部分と、この案内部分の後方であってかつ前記握り部の内部空間に組み込まれた表示切替え用可動障害子とから成り、
前記表示切替え用可動障害子は、回転可能に支持されたシーソー式の長尺状ガイドと、該長尺状ガイドに組み込まれた重心移動体のニ物品とから成り、
しかも、前記表示切替え用可動障害子は、前記握り部が水平状態乃至回転途中の場合に、少なくとも前記重心移動体が長尺状ガイドの一端部側に位置したまま傾倒状態であり、一方、前記握り部が回転して垂直状態になった場合には、前記重心移動体はその重力により前記長尺状ガイドの一端部側から他端部側へ落下して、該長尺状ガイドは垂直状態となり、
表示鍵の使用時、前記握り部に支持された鍵を錠前の鍵穴に水平状態に挿入して前記トリガーが前記錠前の前面部から反力を受けて作動すると、前記表示切替え用可動障害子は、前記案内部分を貫通した前記検出アームと規制突起との間にあり、この間にある時、施・解錠状態を意味する一方の表示が前記握り部の表示窓に現れ、一方、前記スライダーの検出アームが、前記内部空間から退く方向へと移動して前記表示切替え用可動障害子が前記検出アームの先端面と前記握り部の後端部の後壁内面との間に位置したときに、該表示切替え用可動障害子は回転可能な状態となり、前記施・解錠状態を意味する他方の表示が前記握り部の表示窓に現れる、施・解錠状態の表示鍵。
【請求項２】
請求項１に於いて、握り部の内部空間には、長尺状ガイドをそれぞれ点対称の状態で保持する規制突起が対向状態に設けられていることを特徴とする施・解錠状態の表示鍵。
【請求項３】
請求項１に於いて、スイッチ部材は、動力変換手段を含み、握り部の内部空間に対して、前記検出アームは、トリガーの進退動に対応して、かつ動力変換手段を介して進入・退出することを特徴とする施・解錠状態の表示鍵。
【発明の詳細な説明】
【技術分野】
【０００１】
本発明は、鍵と、該鍵を支持すると共に施解錠表示機構を有する握り部を備える鍵に関する。
【背景技術】
【０００２】
特許文献１には、「鍵ブランク２と、該鍵ブランクを支持すると共に施解錠表示機構４を収めた握り部３を備える鍵であって、前記施解錠表示機構４が、前記鍵ブランクを錠前に挿入することにより錠前側に当接して前記鍵ブランクの長手方向にスライドするスライド部材２０と、該スライド部材を前記鍵ブランクの先端方向へと常時付勢する付勢部材６０と、該スライド部材のスライド位置を握り部の回転方向の操作に応じて異なる位置に固定するロック機構と、前記スライド部材のスライド位置を判断する位置判断手段６とを有してなることを特徴とする鍵（符号は特許文献１に記載のもの）」が記載されている。この特許文献１に記載の前記移動体５０は、（ア）握り部３の回転角度に応じて重力により鍵ブランク２の長手方向と直交する方向に移動可能である点、（イ）また単一である点にそれぞれ特徴があるものの、該移動体５０の形状が両端にそれぞれ球体を有する棒状体であり、該棒状体は、例えば特許文献１の図８で示すように、案内部（握り部）が左右に回転した時、その一端部が矩形状案内部の中央括れ部に支持されながら他端部（自由端部）が案内部の下端部に位置した空間部分の隆起状内壁面の左右に振り子式に振り分けられるので、隆起状内壁面の形状や棒状体の球体の形状如何によっては、鍵の回転操作が速い場合に、前記他端部（自由端部）が前記隆起状内壁面にそのまま係止され、表示切替えが十分に成されない可能性がある（誤作動）。
【０００３】
また、特許文献１に記載の前記スイッチ部材２０は、握り部内の案内部材４０に対して鍵ブランク２の長手方向に接近・離間できるものの、特許文献１の図３で示すように、比較的長尺状の一つの物品なので、表示部を有するケース（握り部）を小型化することができない。
【０００４】
特許文献２は、例えば特許文献２の図２で示すように、握り部の内部空間に組み込まれたパンタグラフ式のリンク機構部材５３が伸びた時に、その後端部側の板状スライド部（第２スライド部）５２の端面と握り部の後端部の内部空間に固定的に設けられた板状保持部４１の前面との間に断面チャンネル形状のスライダー４５を挟むものであるが、前記リンク機構部材５３は、特許文献２の図５で示すように、複数個のヒンジＰ１、Ｐ２、Ｐ３を有する可撓性部材であるために、前記板状スライド部（第２スライド部）５２の端面で前記スライダー４５を十分に挟持することができない。そのために、表示切替えが十分に成されない可能性がある（誤作動）。
【先行技術文献】
【特許文献】
【０００５】
【特許文献１】特開２０１０−２０３１０５号
【特許文献２】特開２００９−２７５４１１号
【発明の概要】
【発明が解決しようとする課題】
【０００６】
本発明の所期の目的は、特許文献１や特許文献２の問題点に鑑み、鍵を錠前の鍵穴に水平状態に挿入することを条件として、素早く回転操作しても、遠心力及び重心移動を利用する表示切替え用可動障害子が必ず垂直状態及び傾倒状態となり、その結果、表示の切替えに関して誤作動しないことである。第２の目的は表示鍵のコンバクト化を図ることである。
【課題を解決するための手段】
【０００７】
本発明の施・解錠状態の表示鍵は、握り部４に施解錠表示機構Ｙを備える施・解錠状態の表示鍵Ｘであって、前記施解錠表示機構Ｙは、握り部の表示窓９と、前記握り部に設けられ錠前１の前面部１ａに当るトリガ６ーと、該トリガーに連動して移動するように前記握り部に設けられスライダー１４と、該スライダーの検出アーム１８が貫通する案内部分２２と、この案内部分の後方であってかつ前記握り部の内部空間２６に組み込まれた表示切替え用可動障害子３０とから成り、前記表示切替え用可動障害子は、回転可能に支持されたシーソー式の長尺状ガイド３２と、該長尺状ガイドに組み込まれた重心移動体３３のニ物品とから成り、しかも、前記表示切替え用可動障害子３０は、前記握り部４が水平状態乃至回転途中の場合に、少なくとも前記重心移動体３３が長尺状ガイド３２の一端部側に位置したまま傾倒状態であり、一方、前記握り部４が回転して垂直状態になった場合には、前記重心移動体３３はその重力により前記長尺状ガイド３２の一端部側から他端部側へ落下して、該長尺状ガイド３２は垂直状態となり、表示鍵Ｘの使用時、前記握り部４に支持された鍵５を錠前４の鍵穴２に水平状態に挿入して前記トリガー６が前記錠前の前面部から反力を受けて作動すると、前記表示切替え用可動障害子３０は前記案内部分２２を貫通した前記検出アーム１８と規制突起２３との間にあり、この間にある時、施・解錠状態を意味する一方の表示が前記握り部の表示窓に現れ、一方、前記スライダーの検出アーム１８が、前記内部空間２６から退く方向へと移動して前記表示切替え用可動障害子３０が前記検出アーム１８の先端面と前記握り部の後端部４ｂの後壁内面との間に位置したときに、該表示切替え用可動障害子３０は回転可能な状態となり、前記施・解錠状態を意味する他方の表示が前記握り部の表示窓９に現れることを特徴とする。
【０００８】
上記構成に於いて、握り部の内部空間には、長尺状ガイドをそれぞれ点対称の状態で保持する規制突起２３が対向状態に設けられていることを特徴とする。またスイッチ部材は、動力変換手段１６を含み、握り部の内部空間２６に対して、検出アーム１８は、トリガー６の進退動に対応して、かつ動力変換手段１６を介して進入・退出することを特徴とする。
【発明の効果】
【０００９】
（ａ）鍵を錠前の鍵穴に水平状態に挿入することを条件として、素早く回転操作しても、遠心力及び重心移動を利用する表示切替え用可動障害子が必ず垂直状態及び傾倒状態となり、その結果、表示の切替えに関して誤作動しない。なお、鍵は、望ましくはリバーシブル鍵（リバーシブル鍵には頭部を有しない鍵ブランクも含まれる）が使用される。
（ｂ）長尺状ガイドが軸支されている実施形態、或いは握り部の内部空間に長尺状ガイドをそれぞれ点対称の状態で保持する突起が対向状態に一組設けられている実施形態の場合には、表示切替え用可動障害子は安定した状態でかつ確実に回転する。
（ｃ）スイッチ部材が動力変換手段を有する実施形態の場合には、表示鍵の握り部（ケース）のコンバクト化を図ることができる。
【図面の簡単な説明】
【００１０】
図１乃至図１５は、本発明の実施形態の一例である。
【図１】本発明の外観斜視図。
【図２】握り部４の内部構造を示す斜視からの説明図。
【図３】主要部の概略断面説明図
【図４】ニュートラル状態（鍵穴挿入前）の平面視からの概略断面説明図
【図５】握り部の後端部側の概略断面説明図
【図６】施解錠表示機構Ｙの主な構成部材を示した分解斜視図。
【図７】スライダー１４の平面図、正面図、側面図、底面図をそれぞれ示す。
【図８】案内部材２１の正面図、側面図、背面図、断面図をそれぞれ示す。
【図９】表示切替え用可動障害子３０の正面図、平面図、側面図をそれぞれ示す。
【図１０】鍵穴に完全挿入した状態の平面視からの概略説明図。
【図１１】図１０に於いて、握り部の後端部側から見たスイッチ部材の検出アームが、内部空間から退出した状態を示す概略説明図。
【図１２】例えば施錠状態から、時計方向に９０度回転した後に、９０度反時計方向に戻した場合（図面上、右側の流れは解錠状態、本発明の特徴事項）の説明図。この時、握り部を反時計方向に回しても、誤作動しない（図面上、左側の流れ、注意的事項）旨の説明図。
【図１３】握り部を回転操作した後、鍵穴から差込み部分を引き抜き、その結果、表示が切り替った状態の平面視からの概略説明図。
【図１４】図１３に於いて、長尺状ガイドが中心軸を支点に６０度回転した状態の説明図。
【図１５】例えば解錠状態から、反時計方向に９０度回転した後に、９０度時計方向に戻した場合（図面上、左側の流れは施錠状態、本発明の特徴事項）の説明図。この時、握り部を時計方向に回しても、誤作動しない（図面上、右側の流れ、注意的事項）旨の説明図。
【発明を実施するための最良の形態】
【００１１】
（１）本発明の概要
図１乃至図１５は、本発明の実施形態の一例である。まず、図１及び図２を参照にして、本発明の概要を説明する。図１は、本発明の外観斜視図と錠前の前面部を概念的に示したものである。この図に於いて、１は建具の錠前の前面部で、この前面部１には水平方向の鍵穴２が形成されている。Ｘは本発明の施・解錠状態の表示鍵である。
【００１２】
この表示鍵Ｘは、後述する施解錠表示機構を有する扁平ケース状の握り部４と、この握り部４内にその頭部が支持されていると共に、該頭部に連設する差し込み部５ｂが握り部４の先端開口から突出する、例えばリバーシブル鍵５とを備え、表示鍵Ｘの使用時（錠前を施錠又は解錠する際）、握り部４を持って、前記差し込み部５ｂを錠前の鍵穴２に水平状態に差し込む。その際、リバーシブル鍵５を鍵穴２に差し込んで行くと、握り部４の先端部４ａから所定量突出するトリガー（本実施形態では、スイッチ部材を構成している。）６の先端が錠前の前面部１の前面１ａ（鍵穴２の付近）に衝突し、該トリガー６は握り部４内に略後退する。これにより、トリガー６を含む後述のスイッチ部材が前記前面１ａから反力と受けて作動し、その結果、スイッチ部材を構成するスライダーが握り部４の後端部４ｂに設けた案内部材側の内部空間から退く方向（鍵穴方向）へと移動し、前記内部空間に規制された状態で組み込まれた表示切替え用可動障害子が回転可能な状態となる。
【００１３】
扁平ケース状の握り部４は、一側上面を有する表面側ケース７と、該表面側ケース７に合体（結合）すると共に、一側下面を有する裏面ケース８とから成るが、例えば、前記表面ケース７の後端部寄りの部位には、前述のスライダーの上面（或いは下面）に設けた施・解錠標識（例えば、「しめた」「あけた」等の文字）Ｍを表示する表示窓９（実施形態では、クリヤーウィンドゥが着脱自在に係着する。）が形成されている。
【００１４】
そして、表示鍵Ｘは、前記表面側ケース７又は裏面側ケース８のいずれかが見える状態（水平となる向き）で、鍵穴２に挿入され、左右いずれかの方向（双方向）に回転可能である。該回転は、例えば水平状態から垂直状態になるように９０度回転し、次いで、該垂直状態から９０度逆方向へと反転させて元の水平状態へと戻す（図１２、図１５参照）。
【００１５】
本発明では、上記回転操作の時に、握り部４の後端部４ｂに内装された表示切替え用可動障害子（図９参照）が誤作動しないように、該表示切替え用可動障害子をシーソー式の長尺状ガイド（例えば、パイプ状ガイド）と、該長尺状ガイド内を移動（例えば転動）する重心移動体（例えば球体）のニ物品で構成している。
【００１６】
そして、前記長尺状ガイドは、望ましくはその中央部が握り部４内に固定的に組み込まれかつ握り部４の内部空間に向かって延在する複数の突起を有する案内部材の中心部に支軸を介して、かつ、所定角度（９０度）の範囲内で回転可能であり、また、リバーシブル鍵５の差し込み部分５ｂを鍵穴２に差し込んだ握り部の水平状態では、前記支軸又は／及び前記内部空間に設けた突起に保持（支持）されながら、かつ、該長尺状ガイドの相対的な一端部（下方）に位置する重心移動体の重みにより傾倒状態であり、さらに、握り部４を垂直状態へと回転するまでの間は、例えば握り部４を素早く回転操作しても、長尺状ガイドを介して下方から上方へと位置変位した重心移動体は、遠心力によりそのまま傾倒中の長尺状ガイドの上方へと位置変位した（下方から上方へと回転）一端部に留まり、錠前を施錠した又は解錠した握り部４の垂直状態の時に、始めて該長尺状ガイドは、重力により落下する重心移動体により、前記支軸に支持されながら、握り部４と同様に垂直状態になる。
【００１７】
そして、重心移動体は、自然法則により必ず上方から下方へと落下することから、長尺状ガイドも必ず垂直状態になり、その後、握り部４を逆方向へと反転して元の水平状態へと戻しても（長尺状ガイドが再び傾倒状態になったとしても）、前記重心移動体は傾倒状態の長尺状ガイドの下端部にその位置を保持し続ける。したがって、本発明は、握り部４を素早く回転操作しても、長尺状ガイドは必ず垂直状態に成るので、確実に誤動作を防止することができる。
【００１８】
図２は、一側面側のケース、例えば表示窓９を有する側の表示側のケース７の一部を省略して、握り部４の内部構造を示したものである。この図では、既存鍵の一例であるリバーシブル鍵５の頭部（摘み部分）５ａが裏面ケース８の内側に突設された不番の複数個の突起で支持され、しかも、該頭部５ａの上面にトリガー、ギヤ、コイルバネ、二股状の内側に対向ラックを有するスライダー等の部品が配設されているのが判る。
【００１９】
前述したように表示鍵Ｘの握り部４は、リバーシブル鍵５の頭部５ａを支持すると共に、施解錠表示機構Ｙを外部の一部ないし内部に有している。
【００２０】
施解錠表示機構Ｙの細部的事項は、極力説明を割愛するが、該施解錠表示機構Ｙは、一側面側のケース５ａに設けた表示窓９と、前述したトリガー６を含み、この表示窓９に錠前を施錠したか（しめた）、それとも錠前を解錠（あけた）したかを意味する施・解錠標識Ｍを有するスイッチ部材と、このスイッチ部材を付勢する付勢部材と、握り部４の後端部に固定された案内部材側の内部空間に規制された状態で組み込まれた表示切替え用可動障害子とから成る。
【００２１】
（２）本発明の具体的構成
図３は本発明の主要部の概略断面説明図である。また図４及び図５は、ニュートラル状態（鍵穴挿入前）の平面視からの概略断面説明図と握り部の後端部側の概略断面説明図である。さらに、図６は施解錠表示機構Ｙの主な構成部材を示した分解斜視図である。
【００２２】
まず、図３を参照にして、各部材を簡単に説明する。１は図３の左側に概念的に示した錠前の前面部、Ｘは錠前の前面部１の水平鍵穴２に対して握り部４が水平状態に位置する施・解錠状態の表示鍵である。表示鍵Ｘのリバーシブル鍵５の差し込み部５ｂは、水平状態で前記水平鍵穴２に差し込まれる。この図３を基準にすると、左側が握り部４の先端部４ａで、右側が握り部４の後端部４ｂである。また、握り部４の上側が表示窓９を有する表示側のケース７、下側が裏面ケース８である。トリガー６は、握り部４の先端部４ａ側に握り部４の略中央部のバネ受け座１２に支持されたトリガーバネ１１にバネ力によって、その先端部が常時突出するように組み込まれている。図３では、該トリガー６を含むスイッチ部材Ｓのスライダーの後端部側が前記バネ受け座１２を基準として握り部４の後端部４ｂに見えている。握り部４の後端部４ｂには、板状の案内部分２２と、該案内部分から後方へ水平状態にアーム状に突出する複数の規制用突起２３、２３を有する案内部材２１が固定的に設けられている。
【００２３】
本発明の要部である表示切替え用可動障害子３０は、例えば板状案内部分２２の後側の内面と握り部４の後端部４ｂの後壁内面との間に形成された、トラット形状、楕円形状、真円形状等の内部空間２６に組み込まれている。
【００２４】
ここで、図６を参照にして、スイッチ部材Ｓ、動力変換手段１６及び案内部材２１の各構成を説明する。スイッチ部材Ｓは、長手方向の両側壁に形成されたトリガーラックを有するトリガー６と、該トリガー６に対して対向状態に配設された一組のピニオン１３と、二股状の係合腕１４ｂ、１４ｂの内側に対向状態に形成されたラック１５を有するスライダー１４とから成る。そして、動力変換手段１６には、前記トリガーラック、ピニオン１３及びスライダーのラック１５及びバネ受け座１２にその後端部が支持された該トリガー６が含まれる。なお、各ラックとピニオンは適宜に噛合している。
【００２５】
図６で示すように、スライダー１４の幅広後端部１４ａの上面には肉薄状の凹所が形成され、該凹所には施・解錠標識Ｍを有する識別標識板１７が固定される。また前記幅広後端部１４ａの下面には、スライダー１４を安定的にスライドさせるために、裏面ケース８の内壁面を摺接する垂直板部分１４ｃが設けられている。さらに、前記幅広後端部１４ａの後端面には、表示切替え用可動障害子３０を検出（該可動障害子３０に衝突）することができる検出アーム１８、１８が水平状態に複数本設けられている。案内部材２１は、前述したように、小判状に形成された案内部分２２と、該案内部分から後方へ水平状態にアーム状に突出する複数の規制用突起２３、２３と、前記案内部分２２の中心に形成された軸孔２４を基準として点対称に形成されかつ前記検出アーム１８、１８が貫通する複数の案内孔２５、２５とから成り、握り部４とは別個に成形され、握り部４の後端部４ｂ内に固定的にくみ込まれる。なお、図７はスライダー１４の平面図、正面図等をそれぞれ示す。また、図８は案内部材２１の正面図、側面図等をそれぞれ示す。案内部材２１の背面図である図８の（ｃ）を基準にすると、板状の案内部分２２の軸孔２４の垂直線上に山形状及び逆山形状の上下一対の規制用突起２３、２３が存在していることが判る。また、検出アーム１８、１８用の案内孔２５、２５が前記軸孔２４を基準として斜め方向の位置に点対称に存在していることが判る。
【００２６】
次に、図９は表示切替え用可動障害子３０の正面図、平面図、側面図をそれぞれ示す。図６及び図９を参照にして、表示切替え用可動障害子３０の構成を説明する。前述したように、表示切替え用可動障害子３０は、スライダー１４の検出アーム１８が進入又は後退する内部空間２６に組み込まれている。
【００２７】
しかして、本実施形態の表示切替え用可動障害子３０は、その中心部或いは中央部が前後の突起状水平軸３１、３１、又は実施形態によっては内部空間２６内に設けられた左右の支持突起を介して回転可能に支持（軸支）されたシーソー式の長尺状ガイド３２と、該長尺状ガイドの内部に組み込まれた重心移動体３３のニ物品とから成り、表示鍵Ｘの使用時、リバーシブル鍵５を錠前の鍵穴２に水平状態に挿入してスイッチ部材Ｓが前記錠前の前面から反力を受けて作動すると、該スイッチ部材Ｓの検出アーム１８が、前記内部空間２６から退く方向へと移動することにより、回転可能な状態と成る。なお、ここでの「軸支」の用語は、回転可能の意味である。
【００２８】
（３）本発明の作用を含む主要部
図１０乃至図１５を参照にして、本発明の作用を含む主要部を補足説明する。図１０は、握り部４を摘んで、リバーシブル鍵５の差込み部分５ｂを鍵穴２に完全挿入した状態の平面視からの概略説明図である。表示鍵Ｘの使用時、前記リバーシブル鍵５を錠前の鍵穴２に水平状態に挿入すると、差込み部分５ｂが完全に鍵穴２に入り込む寸前で、トリガー６の先端が錠前の前面に衝突する。そうすると、トリガー６を含むスイッチ部材が錠前の前面から反力を受けて作動する。本実施形態では、スイッチ部材Ｓは、望ましくは動力変換機構１６を有しているので、該動力変換機構１６を介してスイッチ部材Ｓを構成するスライダー１４がリバーシブル鍵５の差込み部分５ｂの方向へ、トリガーバネ１１のバネ力に抗して、かつ後退するトリガー６とは反対方向へと前進する。その結果、スイッチ部材Ｓの検出アーム１８が、後端部の内部空間２６から退く方向へと移動し、表示切替え用可動障害子３０が該内部空間２６内で回転可能な状態となる。図１１は、握り部４の後端部４ｂ側から見たスイッチ部材Ｓの検出アーム１８が、内部空間２６から退出した状態を示す概略説明図である（図１１では検出アーム１８、１８にハッチングなし）。この時、例えば図１２で示すように、表示切替え用可動障害子３０の重心移動体３３は、長尺状ガイド３２の下方（便宜上、「一端部」という。）に位置している。そして、長尺状ガイド３２は上下の山形状規制突起２３、２３の傾斜面で保持されている。
【００２９】
上記の挿入状態で、図１２は、例えば施錠状態から、時計方向に９０度回転した後に、９０度反時計方向に戻した場合（図面上、右側の流れは解錠状態）の説明図である。この時、握り部を反時計方向に回しても、重心移動体３３は、常に長尺状ガイド３２の一端部に位置するので、誤作動しない（図面上、左側の流れ）。付言すると、本実施形態では、表示切替え用可動障害子３０が軸支手段（支軸、支持突起）に支承されたシーソー式の部材なので、回転可能な状態の握り部４が水平状態乃至回転途中の場合に、重心移動体が長尺状ガイドの一端部側に位置したまま傾倒状態であり、一方、前記握り部が左右いずれかに回転して垂直状態になった場合には、（ａ）前記重心移動体３３はその重力により前記長尺状ガイド３２の一端部側から他端部側へ落下して、前記長尺状ガイド３２は垂直状態となる態様と、（ｂ）その重力により前記長尺状ガイド３２の一端部側にそのまま位置する状態、の二つの態様が存在する。この態様は、図１５で、例えば解錠状態から、反時計方向に９０度回転した後に、９０度時計方向に戻した場合（図面上、左側の流れは施錠状態）の場合も同様である。
【００３０】
そして、上記二つの態様に於いて、握り部４を水平状態へと戻して長尺状ガイド３２が再び傾倒状態になったとしても、バランスが崩れない限り、重心移動体３３はその位置を保持し続ける。図１３は握り部４を回転操作した後、鍵穴から差込み部分を引き抜き、その結果、表示が切り替った状態の平面視からの概略説明図、図１４は長尺状ガイド３２が中心軸を支点に６０度回転した状態の説明図である。
【００３１】
したがって、本発明は、リバーシブル鍵５と、該リバーシブル鍵を支持すると共に、スイッチ部材Ｓを含む施解錠表示機構Ｙを有する握り部４を備える施・解錠状態の表示鍵Ｘであって、前記握り部４の後端部４ｂに前記スイッチ部材を構成するスライダー１４の検出アーム１８が進入又は後退する内部空間２６を設け、該内部空間２６に表示切替え用可動障害子３０を組み込み、該表示切替え用可動障害子３０は、その中心部が軸支されたシーソー式の長尺状ガイド３２と、該長尺状ガイドに組み込まれた重心移動体３３のニ物品とから成り、表示鍵Ｘの使用時、前記リバーシブル鍵５を錠前の鍵穴２に水平状態に挿入して、前記スイッチ部材Ｓが前記錠前の前面１ａから反力を受けて作動すると、該スイッチ部材Ｓが、前記内部空間２６から退く方向へと移動して、前記表示切替え用可動障害子３０が回転可能な状態となり、この回転可能な状態で握り部４が水平状態乃至回転途中の場合に、前記表示切替え用可動障害子３０は、少なくとも前記重心移動体３３が長尺状ガイド３２の一端部側に位置したまま傾倒状態であり、一方、前記握り部４が回転して垂直状態になった場合には、前記重心移動体３３はその重力により前記長尺状ガイド３２の一端部側から他端部側へ落下して、該長尺状ガイド３２は垂直状態となる態様が存在する。
【００３２】
付言すると、本発明の施解錠表示機構Ｙは、握り部の表示窓９と、前記握り部に設けられ錠前１の前面部１ａに当るトリガ６ーと、該トリガーに連動して移動するように前記握り部に設けられスライダー１４と、該スライダーの検出アーム１８が貫通する案内部分２２と、この案内部分の後方であってかつ前記握り部の内部空間２６に組み込まれた表示切替え用可動障害子３０とから成り、前記表示切替え用可動障害子は、回転可能に支持されたシーソー式の長尺状ガイド３２と、該長尺状ガイドに組み込まれた重心移動体３３のニ物品とから成り、しかも、前記表示切替え用可動障害子３０は、前記握り部４が水平状態乃至回転途中の場合に、少なくとも前記重心移動体３３が長尺状ガイド３２の一端部側に位置したまま傾倒状態であり、一方、前記握り部４が回転して垂直状態になった場合には、前記重心移動体３３はその重力により前記長尺状ガイド３２の一端部側から他端部側へ落下して、該長尺状ガイド３２は垂直状態となり、表示鍵Ｘの使用時、前記握り部４に支持された鍵５を錠前４の鍵穴２に水平状態に挿入して前記トリガー６が前記錠前の前面部から反力を受けて作動すると、前記表示切替え用可動障害子３０は前記案内部分２２を貫通した前記検出アーム１８と規制突起２３との間にあり、この間にある時、施・解錠状態を意味する一方の表示が前記握り部の表示窓に現れ、一方、前記スライダーの検出アーム１８が、前記内部空間２６から退く方向へと移動して前記表示切替え用可動障害子３０が前記検出アーム１８の先端面と前記握り部の後端部４ｂの後壁内面との間に位置したときに、該表示切替え用可動障害子３０は回転可能な状態となり、前記施・解錠状態を意味する他方の表示が前記握り部の表示窓９に現れる。
【実施例】
【００３３】
重心移動体３３の形態は、完全な球体、楕円体、回転放物体（鉄砲の弾形状）、円柱体などである。また長尺状ガイド３２の形態は、パイプ形状、長手方向に直線状切欠や筋状の溝が存在する筒形状や断面リップミゾ形状が用いられる。また、表示切替え用可動障害子の長尺状ガイド３２を回転可能に支持する軸支手段（突起軸、支点用突起）は、長尺状ガイド３２に設けても、又は内部空間２６のいずれに設けても良い。さらに、リバーシブル鍵５は、頭部（摘み部分）を有する場合には、既存の鍵を用いることもできる。
【産業上の利用可能性】
【００３４】
本発明は、錠前や建具の分野で用いられる。
【符号の説明】
【００３５】
Ｘ…表示鍵、Ｙ…施解錠表示機構、Ｓ…スイッチ部材、Ｍ…施・解錠標識、１…錠前の前面部、２…鍵穴、４…握り部、４ｂ…後端部、５…リバーシブル鍵、６…トリガー、９…表示窓、１４…スライダー、１６…動力変換機構、１８…検出アーム、２１…案内部材、２３…規制用突起、２６…内部空間、３０…表示切替え用可動障害子、３１…水平軸、３２…長尺状ガイド、３３…重心移動体。
【図１】
0005846569.tif 000002
【図２】
0005846569.tif 000003
【図３】
0005846569.tif 000004
【図４】
0005846569.tif 000005
【図５】
0005846569.tif 000006
【図６】
0005846569.tif 000007
【図７】
0005846569.tif 000008
【図８】
0005846569.tif 000009
【図９】
0005846569.tif 000010
【図１０】
0005846569.tif 000011
【図１１】
0005846569.tif 000012
【図１２】
0005846569.tif 000013
【図１３】
0005846569.tif 000014
【図１４】
0005846569.tif 000015
【図１５】
0005846569.tif 000016